(57)【要約】【課題】紙幣の種別の判別レベルの変更操作を操作者により効率よく行わせることが可能な技術が提供されることが望まれる。【解決手段】紙幣を搬送する搬送部と、前記搬送部により搬送された前記紙幣の評価値を取得し、前記紙幣の評価値と複数の紙幣の種別毎に設定される判別レベルとに基づいて、前記紙幣の種別を判別する判別部と、複数の前記種別それぞれの判別レベルを変更可能な判別レベル設定部と、複数の前記種別それぞれの判別レベルに対応する画像を同一画面上に表示させることが可能な表示制御部と、を備える、自動取引装置が提供される。【選択図】図１
2018032309.tif 000002
【特許請求の範囲】
【請求項１】
紙幣を搬送する搬送部と、
前記搬送部により搬送された前記紙幣の評価値を取得し、前記紙幣の評価値と複数の紙幣の種別毎に設定される判別レベルとに基づいて、前記紙幣の種別を判別する判別部と、
複数の前記種別それぞれの判別レベルを変更可能な判別レベル設定部と、
複数の前記種別それぞれの判別レベルに対応する画像を同一画面上に表示させることが可能な表示制御部と、
を備える、自動取引装置。
【請求項２】
前記判別部は、複数の評価項目それぞれに対する前記紙幣の評価値と前記複数の評価項目それぞれに対応付けられた複数の前記種別それぞれの判別レベルとに基づいて、前記評価項目ごとに前記紙幣の種別を判別し、
前記判別レベル設定部は、前記複数の評価項目から選択された１の評価項目に対応付けられた複数の前記種別それぞれの判別レベルを変更可能であり、
前記表示制御部は、前記１の評価項目に対応付けられた複数の前記種別それぞれの判別レベルに対応する画像を同一画面上に表示させる、
請求項１に記載の自動取引装置。
【請求項３】
前記表示制御部は、複数の前記種別それぞれの判別レベルに対応する画像を少なくとも一部が互いに重ね合わされた状態で同一画面上に表示させることが可能である、
請求項１に記載の自動取引装置。
【請求項４】
前記表示制御部は、複数の前記種別のうち判別レベル変更対象として選択された種別の判別レベルに対応する画像を表示させ、所定の開始操作がなされた場合、複数の前記種別それぞれの判別レベルに対応する画像の同一画面上への表示を開始する、
請求項１に記載の自動取引装置。
【請求項５】
前記表示制御部は、所定の解除操作がなされた場合、複数の前記種別それぞれの判別レベルに対応する画像の同一画面上への表示を解除する、
請求項４に記載の自動取引装置。
【請求項６】
前記判別レベル設定部は、所定の判別レベル変更操作がなされた場合、複数の前記種別のうち判別レベル変更対象として選択された種別の判別レベルを変更し、
前記表示制御部は、前記判別レベル変更操作がなされた場合、当該判別レベルに対応する画像を変形し、または、前記画像の濃さを変更する、
請求項１に記載の自動取引装置。
【請求項７】
前記判別レベル設定部は、所定の種別切り替え操作がなされた場合、複数の前記種別において前記判別レベル変更対象の種別を切り替える、
請求項６に記載の自動取引装置。
【請求項８】
前記表示制御部は、複数の前記種別それぞれの判別レベルを表示させ、前記判別レベルと前記判別レベルに対応する画像とを前記種別ごとに色分けする、
請求項１に記載の自動取引装置。
【請求項９】
複数の前記種別は、損券を示す種別および流通券を示す種別の少なくともいずれか一つを含む、
請求項１に記載の自動取引装置。
【請求項１０】
紙幣を搬送する搬送部と、
前記搬送部により搬送された前記紙幣の評価値を取得し、前記紙幣の評価値と複数の紙幣の種別毎に設定される判別レベルとに基づいて、前記紙幣の種別を判別する判別部と、
複数の前記種別それぞれの判別レベルを変更可能な判別レベル設定部と、
複数の前記種別それぞれの判別レベルに対応する画像を同一画面上に表示させることが可能な表示制御部と、
を備える、紙幣処理装置。
【発明の詳細な説明】
【技術分野】
【０００１】
本発明は、自動取引装置および紙幣処理装置に関する。
【背景技術】
【０００２】
近年、紙幣を処理する装置として各種の紙幣処理装置が知られている。紙幣処理装置に紙幣が投入されると、紙幣処理装置に投入された紙幣は、紙幣処理装置の内部に存在する紙幣鑑別装置に搬送される。そして、紙幣鑑別装置においては、紙幣の金種、真偽（真券または偽券）および正損（正券または損券）などが判別され、判別結果に基づいて紙幣が分別される。
【０００３】
ここで、紙幣鑑別装置においては、紙幣の評価値に応じて紙幣の正損が判別される。紙幣の評価値としては、紙幣の汚れ度合い（汚損）、紙幣の損傷の度合いなどが挙げられる。例えば、紙幣の汚れ度合いは、紙幣に付いた汚れの大きさまたは濃さであり得る。また、紙幣の損傷度合いは、紙幣に生じた破れの大きさ、紙幣の修復のために紙幣に貼られたテープの大きさなどであり得る。紙幣の種別の判別レベルを変更する技術としては、様々な技術が開示されている（例えば、特許文献１参照）。
【先行技術文献】
【特許文献】
【０００４】
【特許文献１】特開２００８−２２６１３１号公報
【発明の概要】
【発明が解決しようとする課題】
【０００５】
しかしながら、紙幣の種別の判別レベルの変更操作を操作者により効率よく行わせることが可能な技術が提供されることが望まれる。
【課題を解決するための手段】
【０００６】
上記問題を解決するために、本発明のある観点によれば、紙幣を搬送する搬送部と、前記搬送部により搬送された前記紙幣の評価値を取得し、前記紙幣の評価値と複数の紙幣の種別毎に設定される判別レベルとに基づいて、前記紙幣の種別を判別する判別部と、複数の前記種別それぞれの判別レベルを変更可能な判別レベル設定部と、複数の前記種別それぞれの判別レベルに対応する画像を同一画面上に表示させることが可能な表示制御部と、を備える、自動取引装置が提供される。
【０００７】
前記判別部は、複数の評価項目それぞれに対する前記紙幣の評価値と前記複数の評価項目それぞれに対応付けられた複数の前記種別それぞれの判別レベルとに基づいて、前記評価項目ごとに前記紙幣の種別を判別し、前記判別レベル設定部は、前記複数の評価項目から選択された１の評価項目に対応付けられた複数の前記種別それぞれの判別レベルを変更可能であり、前記表示制御部は、前記１の評価項目に対応付けられた複数の前記種別それぞれの判別レベルに対応する画像を同一画面上に表示させてもよい。
【０００８】
前記表示制御部は、複数の前記種別それぞれの判別レベルに対応する画像を少なくとも一部が互いに重ね合わされた状態で同一画面上に表示させることが可能であってもよい。
【０００９】
前記表示制御部は、複数の前記種別のうち判別レベル変更対象として選択された種別の判別レベルに対応する画像を表示させ、所定の開始操作がなされた場合、複数の前記種別それぞれの判別レベルに対応する画像の同一画面上への表示を開始してもよい。
【００１０】
前記表示制御部は、所定の解除操作がなされた場合、複数の前記種別それぞれの判別レベルに対応する画像の同一画面上への表示を解除してもよい。
【００１１】
前記判別レベル設定部は、所定の判別レベル変更操作がなされた場合、複数の前記種別のうち判別レベル変更対象として選択された種別の判別レベルを変更し、前記表示制御部は、前記判別レベル変更操作がなされた場合、当該判別レベルに対応する画像を変形し、または、前記画像の濃さを変更してもよい。
【００１２】
前記判別レベル設定部は、所定の種別切り替え操作がなされた場合、複数の前記種別において前記判別レベル変更対象の種別を切り替えてもよい。
【００１３】
前記表示制御部は、複数の前記種別それぞれの判別レベルを表示させ、前記判別レベルと前記判別レベルに対応する画像とを前記種別ごとに色分けしてもよい。
【００１４】
複数の前記種別は、損券を示す種別および流通券を示す種別の少なくともいずれか一つを含んでもよい。
【００１５】
また、本発明の他の観点によれば、紙幣を搬送する搬送部と、前記搬送部により搬送された前記紙幣の評価値を取得し、前記紙幣の評価値と複数の紙幣の種別毎に設定される判別レベルとに基づいて、前記紙幣の種別を判別する判別部と、複数の前記種別それぞれの判別レベルを変更可能な判別レベル設定部と、複数の前記種別それぞれの判別レベルに対応する画像を同一画面上に表示させることが可能な表示制御部と、を備える、紙幣処理装置が提供される。
【発明の効果】
【００１６】
以上説明したように本発明によれば、紙幣の種別の判別レベルの変更操作を操作者により効率よく行わせることが可能となる。
【図面の簡単な説明】
【００１７】
【図１】本発明の一実施形態に係る自動取引装置の外観を示す斜視図である。
【図２】同実施形態に係る紙幣処理装置の構成例を示す図である。
【図３】同実施形態に係る自動取引装置の機能構成例を示す図である。
【図４】項目選択画面の例を示す図である。
【図５】評価項目選択画面の例を示す図である。
【図６】レベル設定画面の例を示す図である。
【図７】判別レベル変更後のレベル設定画面の例を示す図である。
【図８】判別レベル変更後の評価項目選択画面の例を示す図である。
【図９】レベル設定画面の例を示す図である。
【図１０】レベル設定画面の例を示す図である。
【図１１】レベル設定画面の例を示す図である。
【図１２】レベル設定画面の例を示す図である。
【図１３】複数の種別それぞれの判別レベルに対応する画像の同一画面上への表示例を示す図である。
【図１４】同実施形態に係る自動取引装置の保守作業時に実行される動作例を示すフローチャートである。
【図１５】レベル設定の詳細動作例を示すフローチャートである。
【発明を実施するための形態】
【００１８】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００１９】
また、本明細書および図面において、実質的に同一の機能構成を有する複数の構成要素を、同一の符号の後に異なる数字を付して区別する場合がある。また、異なる実施形態の類似する構成要素については、同一の符号の後に異なるアルファベットを付して区別する場合がある。ただし、実質的に同一の機能構成を有する複数の構成要素などの各々を特に区別する必要がない場合、同一符号のみを付する。
【００２０】
（１．構成の説明）
まず、本発明の一実施形態の構成例について説明する。図１は、本発明の一実施形態に係る自動取引装置１００の外観を示す斜視図である。図１に示すように、本実施形態に係る自動取引装置１００は、一例として、筐体１０２と、操作表示部１０３と、入出金口１０４と、カード挿入返却口１０５と、通帳挿入返却口１０６とを備えている。なお、本明細書においては、自動取引装置１００が自動現金預払機（ＡＴＭ：Ａｕｔｏｍａｔｅｄ／Ａｕｔｏｍａｔｉｃ  Ｔｅｌｌｅｒ  Ｍａｃｈｉｎｅ）である場合を主に想定するが、自動取引装置１００は他の端末（例えば、紙幣結束整理装置、現金入出金機など）であってもよい。
【００２１】
筐体１０２には、図３に示したカードリーダ部１２２、伝票印刷部１２４、記憶部１２６、制御部１１０および紙幣処理装置２００などの各機構部が収納されている。操作表示部１０３は、顧客が表示画面に直接触れて操作することを可能とする入力部としてのタッチセンサと、操作箇所などを表示する表示部とを有している。図１に示すように、操作表示部１０３は筐体１０２の正面上部に設けられてもよいが、操作表示部１０３が設けられる位置は特に限定されない。
【００２２】
図２は、本実施形態に係る紙幣処理装置２００の構成例を示す図である。図１に示した入出金口１０４から投入された紙幣は、紙幣処理装置２００の接客口２０１に収められる。なお、紙幣処理装置２００は、顧客が紙幣を入金もしくは出金するための接客口２０１と、入金もしくは出金すべき紙幣が適切であるか否かを鑑別する紙幣鑑別装置（判別部）２０２とを備える。紙幣鑑別装置２０２は、入金もしくは出金すべき紙幣の金種、真偽（真券または偽券）および正損（正券または損券）などを判別する。そして、紙幣鑑別装置２０２は、紙幣の判別結果に基づいて、紙幣に対する正常判定またはリジェクト判定を行う。
【００２３】
より具体的に、紙幣鑑別装置２０２はＣＰＵを有しており、鑑別アルゴリズムが記述されたプログラムがＣＰＵによって実行されることによって鑑別機能が実現される。例えば、紙幣鑑別装置２０２は、図示しないセンサ（例えば、光学センサおよび磁気センサ）を有しており、当該センサによって検出されたセンサデータに基づいて紙幣の評価値を算出する。また、紙幣鑑別装置２０２は、紙幣の評価値と各種別に対応する判別レベルとに基づいて、紙幣の種別を判別する。
【００２４】
ここで、本明細書において、「真券」とは紙幣と鑑別された券をいい、「偽券」とは紙幣と鑑別されなかった券をいう。また、「正券」とは真券と鑑別された紙幣のうち入金または出金に適すると鑑別された紙幣をいい、「損券」とは真券と鑑別された紙幣のうち入金または出金に適さないと鑑別された紙幣をいう。また、以下の説明において、自動現金預払機（ＡＴＭ）での取り扱いを許容する券を「ＡＴＭ券」といい、銀行窓口および自動現金預払機（ＡＴＭ）などに流通させることを許容する券を「流通券」という。
【００２５】
また、紙幣処理装置２００は、入金された紙幣を保留する一時保留部２０３と、紙幣処理装置２００は、入金された紙幣や出金用紙幣を収納する金種別収納庫２０４、２０５、２０６と、不適切であると鑑別された紙幣を収納するリジェクト収納庫２０７とを備える。さらに、紙幣処理装置２００は、出金用紙幣を金種別収納庫２０４、２０５、２０６へ補充または金種別収納庫２０４、２０５、２０６から出金用紙幣を回収するための補充回収カセット２０８を備える。また、紙幣処理装置２００には、これら各部へ紙幣を搬送する搬送部Ｈ１、Ｈ２、Ｈ３、Ｈ４、Ｈ５が備わっている。なお、紙幣処理装置２００には、この他に紙幣の搬送を制御するための各種の機構が設けられているが、ここでは説明の簡略化のため、図示を省略している。
【００２６】
図３は、本実施形態に係る自動取引装置１００の機能構成例を示す図である。図３に示すように、本実施形態に係る自動取引装置１００は、制御部１１０と、操作表示部１０３と、カードリーダ部１２２と、伝票印刷部１２４と、記憶部１２６と、紙幣処理装置２００とを備える。カードリーダ部１２２は、カード挿入返却口１０５から挿入されたカードの読み取りを行う。読み取り結果は、制御部１１０による取引に利用される。伝票印刷部１２４は、制御部１１０の制御に従って各種の取引内容を伝票に印刷する。
【００２７】
制御部１１０は、自動取引装置１００の動作（例えば、入金処理および出金処理などといった種々の処理）全体を制御する機能を有する。本明細書において、制御部１１０が、自動取引装置１００に内蔵されたＣＰＵ（Ｃｅｎｔｒａｌ  Ｐｒｏｃｅｓｓｉｎｇ  Ｕｎｉｔ）がＲＯＭ（Ｒｅａｄ  Ｏｎｌｙ  Ｍｅｍｏｒｙ）に記憶された所定のプログラムをＲＡＭ（Ｒａｎｄｏｍ  Ａｃｃｅｓｓ  Ｍｅｍｏｒｙ）に展開して実行することにより実現される場合を主に想定する。しかし、制御部１１０は、専用の演算回路によって構成されてもよい。
【００２８】
なお、かかるプログラムが提供され得る他、かかるプログラムを記憶させた記憶媒体も提供され得る。図３に示すように、制御部１１０は、取得部１１２、判別レベル設定部１１４および表示制御部１１６を有している。取得部１１２、判別レベル設定部１１４および表示制御部１１６の詳細については、後に説明する。
【００２９】
記憶部１２６は、制御部１１０によって読み出されて実行される所定のプログラムを記憶している。また、記憶部１２６は、所定のプログラムの実行において利用される各種データを一時的に記憶する。例えば、記憶部１２６は、磁気記憶部デバイスであってもよいし、半導体記憶デバイスであってもよいし、光記憶デバイスであってもよいし、光磁気記憶デバイスであってもよいし、他の記憶デバイスであってもよい。
【００３０】
ここで、紙幣の種別の判別レベルを変更する技術としては、様々な技術が開示されている。しかし、操作者（以下、「係員」とも言う。）は、１の種別の判別レベルを変更するに際して、他の種別の判別レベルを考慮したい場合もあり得る。そこで、本実施形態においては、表示制御部１１６が、１の種別の判別レベルに対応する画像と他の種別の判別レベルに対応する画像とを同一画面（操作表示部１０３の画面）上に表示させる。これによって、紙幣の種別の判別レベルの変更操作を係員により効率よく行わせることが可能となる。
【００３１】
より具体的には、記憶部１２６は、複数の種別それぞれの判別レベルを記憶している。紙幣鑑別装置２０２は、取引中において、図示しないセンサによって検出されたセンサデータに基づいて紙幣の評価値を得る。そして、紙幣鑑別装置２０２は、紙幣の評価値と記憶部１２６から取得した複数の種別それぞれの判別レベルとに基づいて、紙幣の種別を判別する。例えば、紙幣鑑別装置２０２は、紙幣の評価値が判別レベルを超える種別が存在した場合、その種別に紙幣を分別する。
【００３２】
また、判別レベル設定部１１４は、判別レベル設定時において、複数の種別それぞれの判別レベルを変更可能である。また、表示制御部１１６は、判別レベル設定時において、複数の種別それぞれの判別レベルに対応する画像を同一画面上に表示させることが可能である。なお、以下では、複数の種別が、損券を示す種別および流通券を示す種別を含む場合を一例として説明する。
【００３３】
すなわち、紙幣の評価値が損券に対応する判別レベルを超える場合には、その紙幣が損券に判別される。また、紙幣の評価値が損券に対応する判別レベル以下であり、かつ、流通券に対応する判別レベルを超える場合には、その紙幣が流通券に判別される。また、紙幣の評価値が流通券に対応する判別レベル以下である場合には、その紙幣がＡＴＭ券に判別される。しかし、複数の種別（例えば、種別の数など）はこれらの例に限定されない。
【００３４】
また、以下では、紙幣の評価値が複数の評価項目それぞれに対して得られる場合を一例として説明する。すなわち、紙幣鑑別装置２０２は、図示しないセンサによって検出されたセンサデータに基づいて、複数の評価項目それぞれに対する紙幣の評価値を得る。そして、紙幣鑑別装置２０２は、複数の評価項目それぞれに対する紙幣の評価値と複数の評価項目それぞれに対応付けられた複数の種別それぞれの判別レベルとに基づいて、評価項目ごとに紙幣の種別を判別する。
【００３５】
また、判別レベル設定部１１４は、複数の評価項目から選択された１の評価項目に対応付けられた複数の種別それぞれの判別レベルを変更可能である。また、表示制御部１１６は、１の評価項目に対応付けられた複数の種別それぞれの判別レベルに対応する画像を同一画面上に表示させる。
【００３６】
特に、以下においては、複数の評価項目が、紙幣の汚損（紙幣の汚れの大きさ）、紙幣の破損度合い（辺破れの度合い）、紙幣に貼られたテープの大きさ、紙幣の折れ（角折れまたは角破れの度合い）、紙幣に空いている孔の大きさである場合を一例として説明する。しかし、評価項目の数は特に限定されず、評価項目の数は１つであってもよい（紙幣の評価値は１種類であってもよい。）。また、評価項目の種類は限定されず、紙幣の汚れの濃さであってもよいし、紙幣に貼られたテープの色の濃さであってもよい。
【００３７】
続いて、図４〜図１３を参照しながら、本実施形態に係る自動取引装置１００の機能詳細について説明する。
【００３８】
図４は、項目選択画面の例を示す図である。まず、表示制御部１１６は、項目選択画面Ｇ１０を操作表示部１０３に表示させる。図４に示すように、項目選択画面Ｇ１０は、リセットの実行を開始するためのリセットボタンＧ１１、清算を開始するための清算ボタンＧ１２、保守を開始するための保守ボタンＧ１３、判別レベルの設定を開始するための判別レベル設定開始ボタンＧ１４を含んでいる。また、図４に示すように、項目選択画面Ｇ１０は、キャンセルボタンＧ１５、ＯＫボタンＧ１６を含んでいる。ここでは、係員によって、判別レベル設定開始ボタンＧ１４が選択され、ＯＫボタンＧ１６が選択された場合を想定する。
【００３９】
図５は、評価項目選択画面の例を示す図である。表示制御部１１６は、係員によって、判別レベル設定開始ボタンＧ１４が選択され、ＯＫボタンＧ１６が選択された場合、評価項目選択画面Ｇ２０−１を操作表示部１０３に表示させる。具体的に、記憶部１６０は、評価項目「汚損」「破損（辺破れ）」「テープ」「折れ（角折れ／角破れ）」「孔」それぞれに対応する種別「流通券」「損券」の判別レベルを記憶している。そこで、表示制御部１１６は、これらの判別レベルを記憶部１６０から取得して、制御部１１０の一時領域に記憶させ、操作表示部１０３に表示させる。なお、図５に示すように、評価項目選択画面Ｇ２０−１は、キャンセルボタンＧ２１６、ＯＫボタンＧ２１７を含んでいる。
【００４０】
ここでは、例として、係員が評価項目「汚損」に対応するいずれかの種別の判別レベルを変更したいと考えた場合を想定する。かかる場合、係員は、評価項目「汚損」の表示欄Ｇ２１１をタッチすることによって評価項目「汚損」を選択する。なお、係員は、同様にして、他の判別レベルの表示欄Ｇ２１２〜Ｇ２１５のいずれかのタッチによって他の評価項目を選択することも可能である。
【００４１】
図６は、レベル設定画面の例を示す図である。表示制御部１１６は、係員によって、評価項目「汚損」の表示欄Ｇ２１１が選択された場合、評価項目「汚損」に対応するレベル設定画面Ｇ３０を操作表示部１０３に表示させる。図６に示すように、レベル設定画面Ｇ３０は、評価項目「汚損」に対応する種別「流通券」の判別レベル「５０」および種別「損券」の判別レベル「１５０」を含んでいる。また、レベル設定画面Ｇ３０は、判別レベル設定ボタンＧ３３、判別レベル非設定ボタンＧ３４を含んでいる。
【００４２】
ここでは、例として、係員が評価項目「汚損」に対応する種別「損券」の判別レベル「１５０」を変更したいと考えた場合を想定する。かかる場合、係員は、種別「損券」の表示欄Ｇ３１３をタッチすることによって種別「損券」を選択し、判別レベル設定ボタンＧ３３を選択する。なお、係員は、同様にして、他の種別の表示欄Ｇ３１１，Ｇ３１２のいずれかのタッチによって他の種別を選択することも可能である。
【００４３】
表示制御部１１６は、係員によって、種別「損券」の表示欄Ｇ３１３が選択され、判別レベル設定ボタンＧ３３が選択された場合、図６に示すように、評価項目「汚損」に対応付けられた種別「損券」の判別レベル「１５０」に対応する画像Ｇ３５２−１を表示させる。
【００４４】
なお、例えば、評価項目「汚損」に対する紙幣の評価値が判別レベル「１５０」に相当する場合に、紙幣全体の大きさに対する汚れの大きさがどの程度の割合であるかがあらかじめ分かっている場合が想定される。かかる場合、表示制御部１１６は、矩形領域Ｇ３５１の大きさと当該割合とに応じた大きさに画像Ｇ３５２−１の大きさを調整すればよい。そうすれば、係員は、画像Ｇ３５２−１および矩形領域Ｇ３５１それぞれの大きさによって、評価項目「汚損」に対する紙幣の評価値が判別レベル「１５０」に相当する場合をイメージした上で、判別レベルの変更を行うことが可能である。
【００４５】
また、判別レベル設定部１１４は、所定の判別レベル変更操作がなされた場合、種別「流通券」「損券」のうち判別レベル変更対象として選択された種別の判別レベルを変更する。ここで、所定の判別レベル変更操作は限定されない。図６に示した例では、矩形領域Ｇ３５１の右辺に沿って上下方向のスライダ（つまみＧ３６を含んだスライダ）が設けられ、矩形領域Ｇ３５１の下辺に沿って左右方向のスライダ（つまみＧ３７を含んだスライダ）が設けられている。
【００４６】
例えば、係員によってつまみＧ３６の上下方向の移動操作がなされた場合、判別レベル設定部１１４は、かかる移動操作に従って、評価項目「汚損」に対応付けられた種別「損券」の判別レベル（一時領域の判別レベル）の変更を行うことが可能である。一方、係員によってつまみＧ３７の左右方向の移動操作がなされた場合、判別レベル設定部１１４は、かかる移動操作に従って、評価項目「汚損」に対応付けられた種別「損券」の判別レベル（一時領域の判別レベル）の変更を行うことが可能である。
【００４７】
図７は、判別レベル変更後のレベル設定画面Ｇ３０の例を示す図である。図７には、つまみＧ３７の右方向への移動操作に従って判別レベルが「２００」に上げられる例が示されている。一方、本明細書においては、つまみＧ３７の左方向への移動操作に従って判別レベルが下げられる場合を想定する。しかし、つまみＧ３７の移動方向と判別レベルの上下との関係は限定されない。
【００４８】
同様に、本明細書においては、つまみＧ３６の上方向への移動操作に従って判別レベルが上げられ、つまみＧ３６の下方向への移動操作に従って判別レベルが下げられる場合を主に想定する。しかし、つまみＧ３６の移動方向と判別レベルの上下との関係は限定されない。
【００４９】
また、表示制御部１１６は、所定の判別レベル変更操作がなされた場合、画像Ｇ３５２−１を変形させる。例えば、表示制御部１１６は、つまみＧ３６の上下方向への移動操作がなされた場合、かかる移動操作に従って、画像Ｇ３５２−１の変形を行うことが可能である。一方、例えば、表示制御部１１６は、つまみＧ３６の左右方向への移動操作がなされた場合、かかる移動操作に従って、画像Ｇ３５２−１の変形を行うことが可能である。画像Ｇ３５２−１の大きさは、上記した手法と同様な手法によって調整されるとよい。
【００５０】
図７には、つまみＧ３７の右方向への移動操作に従って画像Ｇ３５２−１が左右方向に拡大される場合が示されている。一方、本明細書においては、つまみＧ３７の左方向への移動操作に従って画像Ｇ３５２−１が左右方向に縮小される場合を想定する。しかし、つまみＧ３７の移動方向と画像Ｇ３５２−１の拡大または縮小との関係は限定されない。
【００５１】
同様に、本明細書においては、つまみＧ３６の上方向への移動操作に従って画像Ｇ３５２−１が上下方向に拡大され、つまみＧ３６の下方向への移動操作に従って画像Ｇ３５２−１が上下方向に縮小される場合を主に想定する。しかし、つまみＧ３６の移動方向と画像Ｇ３５２−１の拡大または縮小との関係は限定されない。
【００５２】
なお、図６および図７に示したように、表示制御部１１６は、判別レベル変更対象として選択された種別「損券」の表示欄Ｇ３１３と、判別レベル「１５０」と、画像Ｇ３５２−１とに対して、同一の着色を施してよい。このような着色を施すことによって、係員は、判別レベル変更対象として選択した種別「損券」の判別レベルと、その判別レベルに対応する画像Ｇ３５２−１との対応を直感的に把握することが可能となる。
【００５３】
また、上記では、判別レベル変更操作によって画像Ｇ３５２−１を変形させる例を説明した。しかし、評価項目が紙幣の汚れの濃さなどである場合もある。そこで、表示制御部１１６は、所定の判別レベル変更操作がなされた場合、画像Ｇ３５２−１の濃さを変更してもよい。例えば、表示制御部１１６は、つまみＧ３６の上下方向への移動操作がなされた場合、かかる移動操作に従って、画像Ｇ３５２−１の変形を行うことが可能である。
【００５４】
このとき、例えば、評価項目「汚損」に対する紙幣の評価値が判別レベル「１５０」に相当する場合に、汚れの濃さがどの程度であるかがあらかじめ分かっている場合が想定される。かかる場合、表示制御部１１６は、汚れの濃さに応じた濃さに画像Ｇ３５２−１の濃さを調整すればよい。そうすれば、係員は、画像Ｇ３５２−１の濃さによって、評価項目「汚損」に対する紙幣の評価値が判別レベル「１５０」に相当する場合をイメージした上で、判別レベルの変更を行うことが可能である。
【００５５】
また、図６および図７を参照すると、判別レベル変更対象として選択された種別「損券」とは異なる種別、かつ、判別レベルを変更可能な種別である「流通券」の表示欄Ｇ３１２に重畳表示実行ボタンＧ３２が表示されている。しかし、重畳表示実行ボタンＧ３２の位置は限定されない。重畳表示実行ボタンＧ３２については、後に説明する。また、図６および図７を参照すると、レベル設定画面Ｇ３０は、キャンセルボタンＧ３８、ＯＫボタンＧ３９を含んでいる。
【００５６】
ここでは、例として、係員が判別レベル（すなわち、評価項目「汚損」に対応する種別「損券」の判別レベル「１５０」）の変更を確定させたいと考えた場合を想定する。かかる場合、係員は、ＯＫボタンＧ３９を選択する。表示制御部１１６は、ＯＫボタンＧ３９が選択された場合、図５に示した評価項目選択画面Ｇ２０−１において、評価項目「汚損」に対応する種別「損券」の判別レベルが変更された評価項目選択画面Ｇ２０−２（図８）を、操作表示部１０３に表示させる。
【００５７】
図８は、判別レベル変更後の評価項目選択画面Ｇ２０−２の例を示す図である。図８に示すように、表示制御部１１６は、ＯＫボタンＧ３９が選択された場合、図５に示した評価項目選択画面Ｇ２０−１において、評価項目「汚損」に対応する種別「損券」の判別レベル「１５０」が変更後の判別レベル「２００」に変更された評価項目選択画面Ｇ２０−２を操作表示部１０３に表示させる。
【００５８】
係員は、表示された変更後の判別レベル（すなわち、評価項目「汚損」に対応する種別「損券」の判別レベル「２００」）を確認した場合、ＯＫボタンＧ２１７を選択する。そして、判別レベル設定部１１４は、係員によってＯＫボタンＧ２１７が選択された場合、評価項目「汚損」に対応付けられた種別「損券」の判別レベル（一時領域の判別レベル）によって、記憶部１６０において当該判別レベルに対応する判別レベルを更新する。
【００５９】
記憶部１２６における判別レベルが更新された後、紙幣鑑別装置２０２は、図示しないセンサによって検出されたセンサデータに基づいて紙幣の評価値を得る。そして、紙幣鑑別装置２０２は、紙幣の評価値と記憶部１２６から取得した更新後の判別レベルとに基づいて、紙幣の種別を判別する。例えば、紙幣鑑別装置２０２は、紙幣の評価値が変更後の判別レベル（すなわち、評価項目「汚損」に対応する種別「損券」の判別レベル「２００」）を超えた場合、その種別「損券」に紙幣を分別する。
【００６０】
以上においては、例として、係員が評価項目「汚損」に対応するいずれかの種別の判別レベルを変更したいと考えた場合を想定して説明した。続いて、係員が評価項目「破損（辺破れ）」に対応するいずれかの種別の判別レベルを変更したいと考えた場合を想定する。かかる場合、係員は、図５に示した評価項目選択画面Ｇ２０−１における評価項目「破損（辺破れ）」の表示欄Ｇ２１２をタッチすることによって評価項目「破損（辺破れ）」を選択する。
【００６１】
図９は、レベル設定画面の例を示す図である。表示制御部１１６は、係員によって、評価項目「破損（辺破れ）」の表示欄Ｇ２１２が選択された場合、評価項目「破損（辺破れ）」に対応するレベル設定画面Ｇ３０を操作表示部１０３に表示させる。ここでは、例として、係員が評価項目「破損（辺破れ）」に対応する種別「損券」の判別レベル「１５０」を変更したいと考えた場合を想定する。かかる場合、係員は、種別「損券」の表示欄Ｇ３１３をタッチすることによって種別「損券」を選択し、判別レベル設定ボタンＧ３３を選択する。
【００６２】
表示制御部１１６は、係員によって、種別「損券」の表示欄Ｇ３１３が選択され、判別レベル設定ボタンＧ３３が選択された場合、図９に示すように、評価項目「破損（辺破れ）」に対応付けられた種別「損券」の判別レベル「１５０」に対応する画像Ｇ３５２−２を表示させる。
【００６３】
なお、例えば、評価項目「破損（辺破れ）」に対する紙幣の評価値が判別レベル「１５０」に相当する場合に、紙幣全体の大きさに対する破損（辺破れ）の大きさがどの程度の割合であるかがあらかじめ分かっている場合が想定される。かかる場合、表示制御部１１６は、矩形領域Ｇ３５１の大きさと当該割合とに応じた大きさに画像Ｇ３５２−２の大きさを調整すればよい。そうすれば、係員は、画像Ｇ３５２−２および矩形領域Ｇ３５１それぞれの大きさによって、評価項目「破損（辺破れ）」に対する紙幣の評価値が判別レベル「１５０」に相当する場合をイメージした上で、判別レベルの変更を行うことが可能である。
【００６４】
また、判別レベル設定部１１４は、所定の判別レベル変更操作がなされた場合、種別「流通券」「損券」のうち判別レベル変更対象として選択された種別の判別レベルを変更する。また、表示制御部１１６は、所定の判別レベル変更操作がなされた場合、画像Ｇ３５２−２を変形させる。ここで、判別レベル変更操作に基づく判別レベルの変更および画像Ｇ３５２−２の変形は、上記した評価項目「汚損」に対応付けられた種別「損券」の判別レベルの変更および画像Ｇ３５２−１の変形と同様に実施され得る。
【００６５】
続いて、係員が評価項目「テープ」に対応するいずれかの種別の判別レベルを変更したいと考えた場合を想定する。かかる場合、係員は、図５に示した評価項目選択画面Ｇ２０−１における評価項目「テープ」の表示欄Ｇ２１３をタッチすることによって評価項目「テープ」を選択する。
【００６６】
図１０は、レベル設定画面の例を示す図である。表示制御部１１６は、係員によって、評価項目「テープ」の表示欄Ｇ２１３が選択された場合、評価項目「テープ」に対応するレベル設定画面Ｇ３０を操作表示部１０３に表示させる。ここでは、例として、係員が評価項目「テープ」に対応する種別「損券」の判別レベル「１５０」を変更したいと考えた場合を想定する。かかる場合、係員は、種別「損券」の表示欄Ｇ３１３をタッチすることによって種別「損券」を選択し、判別レベル設定ボタンＧ３３を選択する。
【００６７】
表示制御部１１６は、係員によって、種別「損券」の表示欄Ｇ３１３が選択され、判別レベル設定ボタンＧ３３が選択された場合、図１０に示すように、評価項目「テープ」に対応付けられた種別「損券」の判別レベル「１５０」に対応する画像Ｇ３５２−３を表示させる。
【００６８】
なお、例えば、評価項目「テープ」に対する紙幣の評価値が判別レベル「１５０」に相当する場合に、紙幣全体の大きさに対するテープの大きさがどの程度の割合であるかがあらかじめ分かっている場合が想定される。かかる場合、表示制御部１１６は、矩形領域Ｇ３５１の大きさと当該割合とに応じた大きさに画像Ｇ３５２−３の大きさを調整すればよい。そうすれば、係員は、画像Ｇ３５２−３および矩形領域Ｇ３５１それぞれの大きさによって、評価項目「テープ」に対する紙幣の評価値が判別レベル「１５０」に相当する場合をイメージした上で、判別レベルの変更を行うことが可能である。
【００６９】
また、判別レベル設定部１１４は、所定の判別レベル変更操作がなされた場合、種別「流通券」「損券」のうち判別レベル変更対象として選択された種別の判別レベルを変更する。また、表示制御部１１６は、所定の判別レベル変更操作がなされた場合、画像Ｇ３５２−３を変形させる。ここで、判別レベル変更操作に基づく判別レベルの変更および画像Ｇ３５２−３の変形は、上記した評価項目「汚損」に対応付けられた種別「損券」の判別レベルの変更および画像Ｇ３５２−１の変形と同様に実施され得る。
【００７０】
続いて、係員が評価項目「折れ（角折れ／角破れ）」に対応するいずれかの種別の判別レベルを変更したいと考えた場合を想定する。かかる場合、係員は、図５に示した評価項目選択画面Ｇ２０−１における評価項目「折れ（角折れ／角破れ）」の表示欄Ｇ２１４をタッチすることによって評価項目「折れ（角折れ／角破れ）」を選択する。
【００７１】
図１１は、レベル設定画面の例を示す図である。表示制御部１１６は、係員によって、評価項目「折れ（角折れ／角破れ）」の表示欄Ｇ２１４が選択された場合、評価項目「折れ（角折れ／角破れ）」に対応するレベル設定画面Ｇ３０を操作表示部１０３に表示させる。ここでは、例として、係員が評価項目「折れ（角折れ／角破れ）」に対応する種別「損券」の判別レベル「１５０」を変更したいと考えた場合を想定する。かかる場合、係員は、種別「損券」の表示欄Ｇ３１３をタッチすることによって種別「損券」を選択し、判別レベル設定ボタンＧ３３を選択する。
【００７２】
表示制御部１１６は、係員によって、種別「損券」の表示欄Ｇ３１３が選択され、判別レベル設定ボタンＧ３３が選択された場合、図１１に示すように、評価項目「折れ（角折れ／角破れ）」に対応付けられた種別「損券」の判別レベル「１５０」に対応する画像Ｇ３５２−４を表示させる。
【００７３】
なお、例えば、評価項目「折れ（角折れ／角破れ）」に対する紙幣の評価値が判別レベル「１５０」に相当する場合に、紙幣全体の大きさに対する折れ（角折れ／角破れ）の大きさがどの程度の割合であるかがあらかじめ分かっている場合が想定される。かかる場合、表示制御部１１６は、矩形領域Ｇ３５１の大きさと当該割合とに応じた大きさに画像Ｇ３５２−４の大きさを調整すればよい。そうすれば、係員は、画像Ｇ３５２−４および矩形領域Ｇ３５１それぞれの大きさによって、評価項目「折れ（角折れ／角破れ）」に対する紙幣の評価値が判別レベル「１５０」に相当する場合をイメージした上で、判別レベルの変更を行うことが可能である。
【００７４】
また、判別レベル設定部１１４は、所定の判別レベル変更操作がなされた場合、種別「流通券」「損券」のうち判別レベル変更対象として選択された種別の判別レベルを変更する。また、表示制御部１１６は、所定の判別レベル変更操作がなされた場合、画像Ｇ３５２−４を変形させる。ここで、判別レベル変更操作に基づく判別レベルの変更および画像Ｇ３５２−４の変形は、上記した評価項目「汚損」に対応付けられた種別「損券」の判別レベルの変更および画像Ｇ３５２−１の変形と同様に実施され得る。
【００７５】
続いて、係員が評価項目「孔」に対応するいずれかの種別の判別レベルを変更したいと考えた場合を想定する。かかる場合、係員は、図５に示した評価項目選択画面Ｇ２０−１における評価項目「孔」の表示欄Ｇ２１５をタッチすることによって評価項目「孔」を選択する。
【００７６】
図１２は、レベル設定画面の例を示す図である。表示制御部１１６は、係員によって、評価項目「孔」の表示欄Ｇ２１５が選択された場合、評価項目「孔」に対応するレベル設定画面Ｇ３０を操作表示部１０３に表示させる。ここでは、例として、係員が評価項目「孔」に対応する種別「損券」の判別レベル「１５０」を変更したいと考えた場合を想定する。かかる場合、係員は、種別「損券」の表示欄Ｇ３１３をタッチすることによって種別「損券」を選択し、判別レベル設定ボタンＧ３３を選択する。
【００７７】
表示制御部１１６は、係員によって、種別「損券」の表示欄Ｇ３１３が選択され、判別レベル設定ボタンＧ３３が選択された場合、図１２に示すように、評価項目「孔」に対応付けられた種別「損券」の判別レベル「１５０」に対応する画像Ｇ３５２−５を表示させる。
【００７８】
なお、例えば、評価項目「孔」に対する紙幣の評価値が判別レベル「１５０」に相当する場合に、紙幣全体の大きさに対する孔の大きさがどの程度の割合であるかがあらかじめ分かっている場合が想定される。かかる場合、表示制御部１１６は、矩形領域Ｇ３５１の大きさと当該割合とに応じた大きさに画像Ｇ３５２−５の大きさを調整すればよい。そうすれば、係員は、画像Ｇ３５２−５および矩形領域Ｇ３５１それぞれの大きさによって、評価項目「孔」に対する紙幣の評価値が判別レベル「１５０」に相当する場合をイメージした上で、判別レベルの変更を行うことが可能である。
【００７９】
また、判別レベル設定部１１４は、所定の判別レベル変更操作がなされた場合、種別「流通券」「損券」のうち判別レベル変更対象として選択された種別の判別レベルを変更する。また、表示制御部１１６は、所定の判別レベル変更操作がなされた場合、画像Ｇ３５２−５を変形させる。ここで、判別レベル変更操作に基づく判別レベルの変更および画像Ｇ３５２−５の変形は、上記した評価項目「汚損」に対応付けられた種別「損券」の判別レベルの変更および画像Ｇ３５２−１の変形と同様に実施され得る。
【００８０】
ここで、上記においては、１つの種別の判別レベルに対応する画像が表示される例を主に説明した。以下では、表示制御部１１６が、複数の種別それぞれの判別レベルに対応する画像を同一画面上に表示させる例を主に説明する。また、以下では、表示制御部１１６は、複数の種別それぞれの判別レベルに対応する画像を少なくとも一部が互いに重ね合わされた状態で同一画面上に表示させる例を主に説明する。しかし、複数の種別それぞれの判別レベルに対応する画像は重ね合わされなくてもよい。
【００８１】
ここで、表示制御部１１６は、複数の種別それぞれの判別レベルに対応する画像が同一画面上に表示されるタイミングは限定されない。例えば、表示制御部１１６は、複数の種別のうち判別レベル変更対象として選択された種別の判別レベルに対応する画像を表示させ、所定の開始操作がなされた場合に、複数の種別それぞれの判別レベルに対応する画像の同一画面上への表示を開始してもよい。以下では、所定の開始操作が重畳表示実行ボタンＧ３２の選択である場合を例として説明する。
【００８２】
図１３は、複数の種別それぞれの判別レベルに対応する画像の同一画面上への表示例を示す図である。図１３には、上記と同様にして、評価項目「汚損」に対応付けられた種別「損券」の判別レベル「１５０」が「２００」に変更された後、表示制御部１１６が、変更後の判別レベル「１５０」に対応する画像Ｇ３５２−１を表示させる例が示されている。しかし、判別レベルの変更は特にされなくてもよい。
【００８３】
そして、表示制御部１１６は、係員によって重畳表示実行ボタンＧ３２が選択された場合、種別「損券」の判別レベルに対応する画像Ｇ３５２−１と種別「流通券」の判別レベルに対応する画像Ｇ３５３−１とを互いに重ね合わされた状態で同一画面上に表示させ始める。かかる状態においては、判別レベル変更対象として選択されている種別「損券」の判別レベルが変更可能であってよい。
【００８４】
その後、係員が判別レベル変更対象として選択されている種別「損券」の判別レベルに対応する画像Ｇ３５２−１だけを表示させたくなる場合も想定される。そこで、表示制御部１１６は、係員によって所定の解除操作がなされた場合、種別「損券」の判別レベルに対応する画像Ｇ３５２−１と種別「流通券」の判別レベルに対応する画像Ｇ３５３−１との同一画面上への表示を解除すればよい。ここで、所定の解除操作は限定されない。例えば、重畳表示実行ボタンＧ３２が選択された後、重畳表示実行ボタンＧ３２が解除ボタンに切り替わる場合、所定の解除操作は、かかる解除ボタンの選択であってもよい。
【００８５】
また、係員が種別「流通券」の判別レベルを変更させたくなる場合も想定される。そこで、表示制御部１１６は、係員によって所定の種別切り替え操作がなされた場合、判別レベル変更対象の種別を「損券」から「流通券」に切り替えればよい。ここで、所定の種別切り替え操作は限定されない。例えば、所定の種別切り替え操作は、種別「流通券」の表示欄Ｇ３１２のうち重畳表示実行ボタンＧ３２の外側領域の選択であってよい。
【００８６】
判別レベル変更対象の種別が「損券」から「流通券」に切り替わった場合、表示制御部１１６は、重畳表示実行ボタンＧ３２を、種別「流通券」の表示欄Ｇ３１２の代わりに、種別「損券」の表示欄Ｇ３１３に表示させてもよい。このとき、重畳表示実行ボタンＧ３２が選択された場合になされる動作は、種別「流通券」の表示欄Ｇ３１２の重畳表示実行ボタンＧ３２が選択された場合になされる動作と同様であってよい。
【００８７】
また、図１３に示すように、表示制御部１１６は、種別「損券」の判別レベルとこの判別レベルに対応する画像Ｇ３５２−１とに対して１種類目の着色を施し、種別「流通券」の判別レベルとこの判別レベルに対応する画像Ｇ３５３−１とに対して１種類目とは異なる２種類目の着色を施すとよい。このように、判別レベルと判別レベルに対応する画像とを種別ごとに色分けすることによって、係員は、判別レベルと、その判別レベルに対応する画像との対応を直感的に把握することが可能となる。
【００８８】
また、種別「流通券」の判別レベルよりも種別「損券」の判別レベルのほうが大きい（悪い）ため、図１３に示すように、種別「流通券」の判別レベルに対応する画像Ｇ３５３−１よりも種別「損券」の判別レベルに対応する画像Ｇ３５２−１のほうが大きい。そこで、図１３に示すように、表示制御部１１６は、判別レベルがより大きい種別「損券」の画像Ｇ３５２−１を判別レベルがより小さい種別「流通券」の画像Ｇ３５３−１の奥側に表示させるとよい。そうすれば、種別「損券」の判別レベルに対応する画像Ｇ３５２−１と種別「流通券」の判別レベルに対応する画像Ｇ３５３−１との双方が係員によって視認され得る。
【００８９】
なお、上記では、評価項目「汚損」に対応付けられた複数の種別それぞれの判別レベルに対応する画像を同一画面上に表示させる例について説明した。しかし、他の評価項目に対応付けられた複数の種別それぞれの判別レベルに対応する画像も同様にして同一画面上に表示させてよい。すなわち、表示制御部１１６は、評価項目「汚損」「破損（辺破れ）」「テープ」「折れ（角折れ／角破れ）」「孔」に対応付けられた複数の種別それぞれの判別レベルに対応する画像も同様にして同一画面上に表示させてよい。
【００９０】
以上、本発明の一実施形態の構成例について説明した。
【００９１】
（２．動作の説明）
続いて、本発明の一実施形態の動作例について説明する。図１４は、本発明の一実施形態に係る自動取引装置１００の保守作業時に実行される動作例を示すフローチャートである。なお、図１４に示したフローチャートは、自動取引装置１００の動作の一例を示したに過ぎない。したがって、自動取引装置１００の保守作業時に実行される動作は、かかるフローチャートに示される動作例に限定されない。
【００９２】
まず、表示制御部１１６は、項目選択画面Ｇ１０（図４）を操作表示部１０３に表示させる（Ｓ１１）。続いて、制御部１１０は、係員によってキャンセルボタンＧ１５が選択された場合（Ｓ１２において「Ｙｅｓ」）、保守作業時の動作を終了する。一方、制御部１１０は、係員によってキャンセルボタンＧ１５が選択されなかった場合（Ｓ１２において「Ｎｏ」）、Ｓ１３に移行する。続いて、制御部１１０は、係員によってＯＫボタンＧ１６が選択されなかった場合（Ｓ１３において「Ｎｏ」）、Ｓ１２に移行する。
【００９３】
一方、制御部１１０は、係員によってＯＫボタンＧ１６が選択された場合（Ｓ１３において「Ｙｅｓ」）、Ｓ１４に移行する。制御部１１０は、「判別レベル設定」が選択されていない場合（すなわち、「リセット」「清算」「保守」のいずれかの項目が選択されている場合）（Ｓ１４において「Ｎｏ」）、選択されている項目に対応する処理を実行し（Ｓ１５）、Ｓ１１に移行する。一方、表示制御部１１６は、「判別レベル設定」が選択されていない場合（Ｓ１４において「Ｙｅｓ」）、評価項目選択画面Ｇ２０−１（図５）を表示させる（Ｓ１６）。
【００９４】
続いて、制御部１１０は、係員によってキャンセルボタンＧ２１６が選択された場合（Ｓ１７において「Ｙｅｓ」）、Ｓ１１に移行する。一方、制御部１１０は、係員によってキャンセルボタンＧ２１６が選択されなかった場合（Ｓ１７において「Ｎｏ」）、Ｓ１８に移行する。係員によってＯＫボタンＧ２１７が選択された場合については、後に説明する（Ｓ１８において「Ｙｅｓ」）。一方、制御部１１０は、係員によってＯＫボタンＧ２１７が選択されなかった場合には（Ｓ１８において「Ｎｏ」）、Ｓ２０に移行する。
【００９５】
続いて、制御部１１０は、評価項目「汚損」「破損（辺破れ）」「テープ」「折れ（角折れ／角破れ）」「孔」のいずれかが選択された場合には（Ｓ２０において「Ｎｏ」）、Ｓ１７に動作を移行する。一方、制御部１１０は、評価項目「汚損」「破損（辺破れ）」「テープ」「折れ（角折れ／角破れ）」「孔」のいずれも選択されなかった場合には（Ｓ２０において「Ｙｅｓ」）、レベル設定を実行し（Ｓ３０）、Ｓ１６に移行する。レベル設定については、図１５を参照しながら後に説明する。
【００９６】
図１５は、レベル設定の詳細動作例を示すフローチャートである。なお、図１５に示したフローチャートは、レベル設定の詳細動作の一例を示したに過ぎない。したがって、レベル設定の詳細動作は、かかるフローチャートに示される詳細動作例に限定されない。
【００９７】
まず、表示制御部１１６は、係員によって選択された評価項目に対応するレベル設定画面を表示させる（Ｓ３１）。図６には、レベル設定画面の例として、レベル設定画面Ｇ３０が示されている。判別レベル設定部１１４は、レベル設定画面Ｇ３０において、係員によって種別が選択されると、被選択種別に対応する判別レベルを記憶部１６０から制御部１１０の一時領域に読み込む（Ｓ３２）。
【００９８】
そして、制御部１１０は、係員によって判別レベル設定ボタンＧ３３が選択されなかった場合（Ｓ３３において「Ｎｏ」）、Ｓ３４に移行する。そして、制御部１１０は、判別レベル非設定ボタンＧ３４が選択されなかった場合（Ｓ３４において「Ｎｏ」）、Ｓ３７に移行する。一方、判別レベル設定部１１４は、判別レベル非設定ボタンＧ３４が選択された場合（Ｓ３４において「Ｙｅｓ」）、制御部１１０の一時領域の判別レベルを「判別せず」に変更して（Ｓ３５）、Ｓ４２に移行する。なお、「判別せず」は、判別レベルを設定しない旨を示す。
【００９９】
一方、表示制御部１１６は、係員によって判別レベル設定ボタンＧ３３が選択された場合（Ｓ３３において「Ｙｅｓ」）、一時領域の判別レベルに対応する画像を表示させる（Ｓ３６）。図６に示した例では、評価項目「汚損」に対応するレベル設定画面Ｇ３０において種別「損券」が選択され、判別レベル設定ボタンＧ３３が選択されたため、評価項目「汚損」に対応する種別「損券」の判別レベル「１５０」に対応する画像Ｇ３５２−１が表示されている。
【０１００】
ここで、表示制御部１１６は、係員によって重畳表示実行ボタンＧ３２が選択されなかった場合（Ｓ３７において「Ｎｏ」）、Ｓ３９に移行する。一方、表示制御部１１６は、係員によって重畳表示実行ボタンＧ３２が選択された場合（Ｓ３７において「Ｙｅｓ」）、２つの画像を重ねて表示させる（Ｓ３８）。図１３に示した例では、「流通券」の表示欄Ｇ３１２の重畳表示実行ボタンＧ３２が選択されたため、種別「損券」の判別レベルに対応する画像Ｇ３５２−１と種別「流通券」の判別レベルに対応する画像Ｇ３５３−１とが重ねて表示されている。
【０１０１】
続いて、判別レベル設定部１１４は、係員によって判別レベル変更操作がなされた場合（Ｓ３９において「Ｙｅｓ」）、制御部１１０の一時領域の判別レベルを変更し（Ｓ４０）、表示制御部１１６は、制御部１１０の一時領域の判別レベルに対応する画像によって、表示されている画像を更新し（Ｓ４１）、Ｓ４２に移行する。図１３には、種別「損券」の判別レベルが「２００」に変更され、種別「損券」の判別レベル「１５０」に対応する画像が、判別レベル「２００」に対応する画像Ｇ３５２−１によって更新される例が示されている。
【０１０２】
一方、判別レベル設定部１１４は、係員によって判別レベル変更操作がなされなかった場合（Ｓ３９において「Ｎｏ」）、Ｓ４２に移行する。続いて、判別レベル設定部１１４は、係員によってＯＫボタンＧ３９が選択された場合（Ｓ４２において「Ｙｅｓ」）、レベル設定を終了する。一方、判別レベル設定部１１４は、係員によってキャンセルボタンＧ３８が選択された場合（Ｓ４２において「Ｎｏ」）、一時領域の判別レベルを削除し（Ｓ４４）、レベル設定を終了する。制御部１１０は、レベル設定が終了すると、Ｓ１６（図１４）に移行する。
【０１０３】
続いて、表示制御部１１６は、判別レベル変更後の評価項目選択画面Ｇ２０−２（図８）を表示させる（Ｓ１６）。図８には、評価項目「汚損」に対応する種別「損券」の判別レベルが一時領域の判別レベル「２００」によって変更された例が示されている。判別レベル設定部１１４は、係員によってＯＫボタンＧ３９が選択された場合（Ｓ１７において「Ｎｏ」、かつ、Ｓ１８において「Ｙｅｓ」）、記憶部１２６の判別レベルを一時領域の判別レベルによって更新し（Ｓ１９）、Ｓ２０に移行する。
【０１０４】
キャンセルボタンＧ２１６（図８）およびキャンセルボタンＧ１５が選択されると（Ｓ１７において「Ｙｅｓ」、かつ、Ｓ１２において「Ｙｅｓ」）、保守作業時の動作が終了する。その後、自動取引装置１００における取引時において、判別レベルの変更後の判別レベルに従った取引が実行される。
【０１０５】
以上、本発明の一実施形態の動作例について説明した。
【０１０６】
（３．変形例）
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１０７】
例えば、上記では、自動取引装置１００によって扱われる媒体の例として紙幣を取り上げた。しかし、自動取引装置１００によって扱われる媒体は、紙幣に限定されない。例えば、自動取引装置１００によって扱われる媒体は、硬貨であってもよいし、他の媒体であってもよい。また、上記では、紙幣の通貨として日本の通貨（円）を利用して説明したが、紙幣の通貨は、日本の通貨に限定されない。例えば、紙幣の通貨は、米国の通貨（米ドル）であってもよい。
【０１０８】
また、上記では、自動取引装置１００が有する制御部１１０および記憶部１６０それぞれが有する機能について説明した。しかし、自動取引装置１００が有するとして説明した制御部１１０が有する機能の一部または全部は、紙幣処理装置２００が有する制御部（不図示）が代わりに有してもよい。また、自動取引装置１００が有するとして説明した記憶部１６０が有する機能の一部または全部は、紙幣処理装置２００が有する記憶部（不図示）が代わりに有してもよい。例えば、保守作業時における制御部１１０および記憶部１６０の上記動作は、紙幣処理装置２００における制御部（不図示）および記憶部（不図示）において代わりに実行されてもよい。
【符号の説明】
【０１０９】
１００  自動取引装置
１０２  筐体
１０３  操作表示部
１０４  入出金口
１０５  カード挿入返却口
１０６  通帳挿入返却口
１１０  制御部
１１２  取得部
１１４  判別レベル設定部
１１６  表示制御部
１２２  カードリーダ部
１２４  伝票印刷部
１２６  記憶部
２００  紙幣処理装置
２０１  接客口
２０３  一時保留部
２０４  金種別収納庫
２０７  リジェクト収納庫
２０８  補充回収カセット
Ｈ１〜Ｈ５  搬送部
【図１】
2018032309.tif 000003
【図２】
2018032309.tif 000004
【図３】
2018032309.tif 000005
【図４】
2018032309.tif 000006
【図５】
2018032309.tif 000007
【図６】
2018032309.tif 000008
【図７】
2018032309.tif 000009
【図８】
2018032309.tif 000010
【図９】
2018032309.tif 000011
【図１０】
2018032309.tif 000012
【図１１】
2018032309.tif 000013
【図１２】
2018032309.tif 000014
【図１３】
2018032309.tif 000015
【図１４】
2018032309.tif 000016
【図１５】
2018032309.tif 000017